(57)【要約】【課題】作業者の墜落時の安全確保がより確実に行える高所作業用命綱を提供する。【解決手段】平ロープ１の先端が、フック２のロープ連結用開口２ａに挿入された後折り返されて折り返し部３を形成し、折り返し部が平ロープ本体４に縫合される。折り返し部の段差を平ロープの長さ方向に跨いで配置されて段差を埋める補填部材７を備える。補填部材は、平ロープ本体側に重ね合わされた厚い板状の基部８と、基部に接続し、折り返し部側に重ね合わされた薄い板状の延長部９を有する。基部の平ロープ本体に対向する面と延長部の折り返し部に対向する面との間に、折り返し部の段差に対応する段差が形成される。延長部の外面は基部の外面と段差なく接続され、基部の外面が、平ロープの後端に向かって基部の厚みが次第に減少するように傾斜してのびる。補填部材は、折り返し部の段差に補填部材の段差が当接した状態で、平ロープに結合される。【選択図】図１
0003218765.tif 000002
【実用新案登録請求の範囲】
【請求項１】
平ロープの先端部にフックが連結され、または当該フックがショックアブソーバを介して連結されたものであって、
前記平ロープの先端が、前記フックまたは前記ショックアブソーバのロープ連結用開口に挿入された後前記平ロープの一面側に折り返されて折り返し部を形成するとともに、前記折り返し部が平ロープ本体に縫合され、前記折り返し部の末端に段差を有する高所作業用命綱において、
前記段差を前記平ロープの長さ方向に跨いで配置されて前記段差を埋める補填部材を備え、
前記補填部材は、前記段差に関し前記平ロープ本体側に重ね合わされた厚い板状の基部と、前記基部に接続し、前記段差に関し前記折り返し部側に重ね合わされた薄い板状の延長部と、を有し、
前記基部における前記平ロープ本体に対向する面と、前記延長部における前記折り返し部に対向する面との間に、前記折り返し部の前記段差に対応する段差が形成され、
前記延長部の前記折り返し部に対向する面と反対側の面は、前記基部の前記平ロープ本体に対向する面と反対側の面と段差が生じないように接続され、前記基部の前記反対側の面が、前記平ロープの後端に向かって前記基部の厚みが次第に減少するように傾斜してのび、
前記補填部材は、前記折り返し部の段差に対して前記補填部材の前記対応する段差が当接した状態で、前記平ロープに結合されているものであることを特徴とする高所作業用命綱。
【請求項２】
前記補填部材の前記平ロープへの前記結合が縫合によってなされていることを特徴とする請求項１に記載の高所作業用命綱。
【請求項３】
前記補填部材の前記平ロープへの前記縫合が、前記平ロープの前記折り返し部の前記平ロープ本体への縫合と同時になされていることを特徴とする請求項２に記載の高所作業用命綱。
【請求項４】
前記補填部材の前記平ロープへの前記結合が接着によってなされていることを特徴とする請求項１に記載の高所作業用命綱。
【請求項５】
前記補填部材の前記基部における前記平ロープ本体に対向する面の両側に少なくとも一対のガイド爪が突設され、前記一対のガイド爪は前記平ロープの幅に対応する間隔をあけて位置し、前記一対のガイド爪間に前記平ロープ本体を嵌め込むことによって、前記補填部材の前記平ロープ本体に対する位置決めがなされることを特徴とする請求項１〜請求項４のいずれかに記載の高所作業用命綱。
【請求項６】
前記補填部材が合成樹脂から形成されていることを特徴とする請求項１〜請求項５のいずれかに記載の高所作業用命綱。
【請求項７】
前記平ロープにおける前記折り返し部の縫合部および前記補填部材の結合部が熱収縮チューブによって被覆されていることを特徴とする請求項１〜請求項６のいずれかに記載の高所作業用命綱。
【請求項８】
前記平ロープの折り返しによって形成されたループ状部分に扁平な管状の保護部材が嵌め込まれていることを特徴とする請求項１〜請求項７のいずれかに記載の高所作業用命綱。
【請求項９】
前記平ロープの先端部に前記フックまたは前記ショックアブソーバが連結金具を介して連結され、前記ロープ連結用開口が前記連結金具に設けられていることを特徴とする請求項１〜請求項８のいずれかに記載の高所作業用命綱。
【考案の詳細な説明】
【技術分野】
【０００１】
本考案は、高所作業用命綱、特に、平ロープの先端にフックが連結され、または当該フックがショックアブソーバを介して連結されたものからなる高所作業用命綱に関するものである。
【背景技術】
【０００２】
従来の高所作業用命綱には、平ロープの先端にフックが連結された構成のもの（例えば、特許文献１参照）や、平ロープの先端にショックアブソーバを介してフックが連結された構成のもの（例えば、特許文献２参照）がある。
【０００３】
そして、前者においては、平ロープの先端が、フックのロープ連結用開口に挿入された後、平ロープの一面側に折り返されて折り返し部を形成するとともに、折り返し部が綴じ糸によって平ロープの本体に縫合され、それによって、平ロープにフックが連結されている。また、平ロープの後端は、ショックアブソーバを介して胴ベルト（作業者に装着される）に連結されている。
【０００４】
後者においては、平ロープの先端が、ショックアブソーバのロープ連結用開口に挿入された後、平ロープの一面側に折り返されて折り返し部を形成するとともに、折り返し部が綴じ糸によって平ロープの本体に縫合され、それによって、平ロープにショックアブソーバが連結されている。また、ショックアブソーバとフックが連結金具によって連結されている。
さらに、折り返し部とショックアブソーバとの連結部、および折り返し部が熱収縮チューブによって被覆されている。
【０００５】
また、平ロープの後端側は、巻取りリールに巻取り可能にされるとともに、巻取りリールがショックアブソーバを介して胴ベルト（作業者に装着される）に連結されている。
【０００６】
高所作業用命綱の使用時は、高所作業用命綱のフックが作業現場の適当な固定物に係止され、作業中、高所作業用命綱は作業者の胴ベルトおよび固定物間にのびている。
そして、万一作業者が足を踏み外して墜落した場合には、ショックアブソーバや巻取りリール等によって作業者に及ぼされる衝撃が吸収されるとともに、作業者が高所作業用命綱によって固定物から宙吊り状態となり、作業者の安全が確保されるようになっている。
【０００７】
しかし、その一方で、従来の高所作業用命綱においては、平ロープをフックまたはショックアブソーバと連結する平ロープの折り返し部の末端に段差が形成されるが、この段差が、熱収縮チューブによって被覆されているか否かにかかわらず、作業者の墜落時に固定物の角張った部分に引っ掛かる可能性がある（なお、高所作業用命綱の平ロープの後端にも同様の折り返し部が形成されるが、この折り返し部は作業者の身体近くに位置するので、引っ掛かる可能性はほぼゼロである）。
【０００８】
そして、仮に、作業者の墜落時に平ロープの折り返し部の段差が固定物の角張った部分に引っ掛かると、作業者が宙吊りとなって平ロープがピンと張ったときに、平ロープの折り返し部と本体を縫合している綴じ糸が角張った部分によって切断されて、平ロープがフック（ショックアブソーバ）から脱落し、作業者を宙吊り状態で支持できず、作業者の安全を確保できなくなるそれがある。
【先行技術文献】
【特許文献】
【０００９】
【特許文献１】特開平８−１９１８９８号公報
【特許文献２】特開平５−１３１０３７号公報
【考案の概要】
【考案が解決しようとする課題】
【００１０】
したがって、本考案の課題は、作業者の墜落時の安全確保がより確実に行える高所作業用命綱を提供することにある。
【課題を解決するための手段】
【００１１】
上記課題を解決するため、本考案によれば、平ロープの先端部にフックが連結され、または当該フックがショックアブソーバを介して連結されたものであって、前記平ロープの先端が、前記フックまたは前記ショックアブソーバのロープ連結用開口に挿入された後前記平ロープの一面側に折り返されて折り返し部を形成するとともに、前記折り返し部が平ロープ本体に縫合され、前記折り返し部の末端に段差を有する高所作業用命綱において、前記段差を前記平ロープの長さ方向に跨いで配置されて前記段差を埋める補填部材を備え、前記補填部材は、前記段差に関し前記平ロープ本体側に重ね合わされた厚い板状の基部と、前記基部に接続し、前記段差に関し前記折り返し部側に重ね合わされた薄い板状の延長部と、を有し、前記基部における前記平ロープ本体に対向する面と、前記延長部における前記折り返し部に対向する面との間に、前記折り返し部の末端の前記段差に対応する段差が形成され、前記延長部の前記折り返し部に対向する面と反対側の面は、前記基部の前記平ロープ本体に対向する面と反対側の面と段差が生じないように接続され、前記基部の前記反対側の面が、前記平ロープの後端に向かって前記基部の厚みが次第に減少するように傾斜してのび、前記補填部材は、前記折り返し部の末端の段差に対して前記補填部材の前記対応する段差が当接した状態で、前記平ロープに結合されているものであることを特徴とする高所作業用命綱が提供される。
【００１２】
本考案の好ましい実施例によれば、前記補填部材の前記平ロープへの前記結合が縫合によってなされ、この場合、縫合は、例えば、綴じ糸または針金を用いてなされている。
本考案の別の好ましい実施例によれば、前記補填部材の前記平ロープへの縫合が、前記平ロープの前記折り返し部の前記平ロープ本体への縫合と同時になされている。
本考案のさらに別の好ましい実施例によれば、前記補填部材の前記平ロープへの前記結合が接着によってなされている。
【００１３】
本考案のさらに別の好ましい実施例によれば、前記補填部材の前記基部における前記平ロープ本体に対向する面の両側に少なくとも一対のガイド爪が突設され、前記一対のガイド爪は前記平ロープの幅に対応する間隔をあけて位置し、前記一対のガイド爪間に前記平ロープ本体を嵌め込むことによって、前記補填部材の前記平ロープ本体に対する位置決めがなされる。
【００１４】
本考案のさらに別の好ましい実施例によれば、前記補填部材が合成樹脂から形成されている。
【００１５】
本考案のさらに別の好ましい実施例によれば、前記平ロープにおける前記折り返し部の縫合部および前記補填部材の結合部が熱収縮チューブによって被覆されている。
本考案のさらに別の好ましい実施例によれば、前記平ロープの折り返しによって形成されたループ状部分に扁平な管状の保護部材が嵌め込まれている。
【００１６】
本考案のさらに別の好ましい実施例によれば、前記平ロープの先端部と前記フックまたは前記ショックアブソーバが連結金具を介して連結されていて、前記平ロープの先端が前記連結金具に設けられた前記ロープ連結用開口に挿通された後前記平ロープの前記一面側に折り返されて前記折り返し部を形成し、前記折り返し部が前記平ロープ本体に縫合され、前記折り返し部の末端に前記段差が形成されている。
【考案の効果】
【００１７】
本考案によれば、平ロープの先端とフックまたはショックアブソーバとの連結によって生じた平ロープの折り返し部の末端の段差を補填部材によって埋め、当該段差を、平ロープ本体の一面（折り返し部が位置する面）から折り返し部の外面に至る補填部材の斜面（上り斜面）に置き換えたので、作業者の墜落時に、平ロープの通過経路内に固定物の角張った部分があったとしても、折り返し部と平ロープ本体との縫合部は、この（上り）斜面を介して、角張った部分を円滑に乗り越えることができ、当該縫合部の綴じ糸が切断されることはなく、よって、作業者の安全確保が確実に行える。
【図面の簡単な説明】
【００１８】
【図１】本考案の１実施例による高所作業用命綱の先端部を示す図であり、（Ａ）は斜視図であり、（Ｂ）は平面図である。なお、（Ａ）では、熱収縮チューブが省略されている。
【図２】図１の高所作業用命綱の平ロープの先端の折り返し部を示す図であり、（Ａ）は分解斜視図であり、（Ｂ）は側面図である。なお、（Ｂ）では、熱収縮チューブが省略されている。
【図３】図１の高所作業用命綱の補填部材を示す図であり、（Ａ）は側面図であり、（Ｂ）は平面図である。
【図４】本考案の別の実施例による高所作業用命綱の先端部を示す図である。
【図５】補填部材と平ロープとの結合部の変形例を示す平面図である。
【考案を実施するための形態】
【００１９】
以下、添付図面を参照しつつ、本考案の構成を好ましい実施例に基づいて説明する。
図１は、本考案の１実施例による高所作業用命綱の先端部を示す斜視図であり、（Ａ）は斜視図であり、（Ｂ）は平面図である。なお、図１（Ａ）では、熱収縮チューブが省略されている。図２は、図１の高所作業用命綱の平ロープの先端の折り返し部を示す図であり、（Ａ）は分解斜視図であり、（Ｂ）は側面図である。なお、図２（Ｂ）では、熱収縮チューブが省略されている。
【００２０】
図１および図２を参照して、本考案による高所作業用命綱は、平ロープ１の先端部１ａにフック２が連結されたものからなっている。
この実施例では、平ロープ１の先端が、合成樹脂から形成された扁平な管状の保護部材１４に挿通された状態で、フック２のロープ連結用開口２ａに挿入された後、平ロープ１の一面１ｂ側に折り返されて折り返し部３を形成し、平ロープ１のループ状部分に保護部材１４が嵌め込まれた状態で、折り返し部３が平ロープ本体４に綴じ糸５によって縫合されている。
そして、折り返し部３の末端３ａには、段差６が形成されている。
【００２１】
なお、保護部材１４は、平ロープ１がフック２との接触によって摩耗するのを防止するためのものであり、必要に応じて備えられる。
【００２２】
本考案の高所作業用命綱は、また、段差６を平ロープ１の長さ方向に跨いで配置されて段差６を埋める補填部材７を備えている。
図３は、補填部材を示す図であり、（Ａ）は側面図であり、（Ｂ）は平面図である。
【００２３】
補填部材７は、ナイロン等の合成樹脂から形成されており、図３に示すように、段差６に関し平ロープ本体４側に重ね合わされた厚い板状の基部８と、基部８に接続し、段差６に関し折り返し部３側に重ね合わされた薄い板状の延長部９を有している。
【００２４】
そして、基部８における平ロープ本体４に対向する面８ａと、延長部９における折り返し部３に対向する面９ａとの間に、折り返し部３の末端３ａの段差６に対応する段差１０が形成されている。
【００２５】
また、延長部９は一定の厚みを有していて、延長部９における面９ａと反対側の面９ｂは、基部８における面８ａと反対側の面８ｂと段差が生じないように接続され、基部８の面８ｂは、平ロープ１の後端に向けて基部８の厚みが次第に減少するように傾斜してのびている。
【００２６】
基部８の面８ａの両側には、少なくとも一対（この実施例では二対）のガイド爪１１ａ、１１ｂ；１２ａ、１２ｂが突設されている。
各一対のガイド爪１１ａ、１１ｂ；１２ａ、１２ｂは、平ロープ１の幅に対応する間隔をあけて位置している。そして、各一対のガイド爪１１ａ、１１ｂ；１２ａ、１２ｂ間に平ロープ本体４が嵌め込まれることで、補填部材７の平ロープ本体４への結合時の位置決めがなされるようになっている。
なお、ガイド爪１１ａ、１１ｂ；１２ａ、１２ｂは必要に応じて設けられる。
【００２７】
補填部材７は、平ロープ１の折り返し部３の末端３ａの段差６に対して補填部材７の対応する段差１０が当接した状態で、平ロープ１（折り返し部３および平ロープ本体４）に結合されている。
補填部材７の平ロープ１への結合は、この実施例では、綴じ糸１３を用いた縫合によってなされている。
【００２８】
この綴じ糸１３による縫合は、補填部材７の基部８においては、基部８と平ロープ本体４との間でなされる一方、延長部９においては、延長部９と折り返し部３および平ロープ本体４との間でなされる。
【００２９】
この実施例では、さらに、平ロープ１における折り返し部３の縫合部および補填部材７の結合部が熱収縮チューブ１５によって被覆されている。
熱収縮チューブ１５は、折り返し部３の縫合部や補填部材７の結合部を、摩耗、および太陽光線や雨水等から保護するためのものであり、必要に応じて備えられる。
【００３０】
こうして、本考案の高所作業用命綱によれば、平ロープ１の先端とフック２との連結によって生じた平ロープ１の折り返し部３の末端３ａの段差６を補填部材７によって埋め、この段差６を、平ロープ本体４の一面（折り返し部３が位置する面）から折り返し部３の外面に至る補填部材３の斜面３ｂ（上り斜面）で置き換えたので、作業者の墜落時に、平ロープ３の通過経路内に固定物の角張った部分があったとしても、折り返し部３と平ロープ本体４との縫合部は、この斜面３ｂを介して、角張った部分をスムーズに乗り越えて行くことができ、当該縫合部の綴じ糸５が切断されることはなく、よって、作業者の安全確保が確実に行える。
【００３１】
図４（Ａ）は、本考案の別の実施例による高所作業用命綱を示す側面図である。
図４（Ａ）に示した実施例は、図１〜図３に示した実施例と、平ロープの先端部にフックを直接連結せずにショックアブソーバを介して連結した点が異なるだけである。よって、図４（Ａ）中、図１〜図３に示したものと同じ構成要素には同一番号を付し、以下では、それらの詳細な説明を省略する。
【００３２】
図４（Ａ）を参照して、この実施例では、平ロープ１の先端部１ａに、フック２がショックアブソーバ１６を介して連結されている。
この場合、平ロープ１を連結するためのロープ連結用開口１６ａがショックアブソーバ１６に設けられている。
【００３３】
そして、図１〜図３の実施例と同様に、ロープ１の先端が、保護部材１４に挿通された状態でロープ連結用開口１７ａに挿入された後、折り返されて折り返し部３を形成し、折り返し部３が平ロープ本体４に綴じ糸５によって縫合され、さらに、折り返し部３の段差６を埋める補填部材７が平ロープ１（折り返し部３および平ロープ本体４）に結合されている。
【００３４】
この実施例においても、図１〜図３の実施例と同様の効果が得られることは言うまでもない。
【００３５】
以上、本考案の構成を好ましい実施例に基づいて説明したが、本考案の構成は上記実施例に限定されず、当業者が添付の実用新案登録請求の範囲に記載した構成の範囲内で種々の変形例を案出し得ることは言うまでもない。
【００３６】
上記実施例では、フック２またはショックアブソーバ１６を直接平ロープ１の先端部１ａに連結したが、フック２またはショックアブソーバ１６を連結金具を介して平ロープ１の先端部１ａに連結してもよい。
この場合には、例えば図４（Ｂ）に示すように、平ロープ１を連結するためのロープ連結用開口１７ａが連結金具１７に設けられる。
【００３７】
そして、上記実施例と同様に、ロープ１の先端が、保護部材１４に挿通された状態でロープ連結用開口１７ａに挿入された後、折り返されて折り返し部３を形成し、折り返し部３が平ロープ本体４に綴じ糸５によって縫合され、さらに、折り返し部３の段差６を埋める補填部材７が平ロープ１（折り返し部３および平ロープ本体４）に結合される。
【００３８】
また、上記実施例では、平ロープ１の折り返し部３と平ロープ本体４との綴じ糸５による縫合と、補填部材７と平ロープ１との綴じ糸１３による縫合を別々に行ったが、例えば、図５（Ａ）に示すように、これら２つの縫合を綴じ糸５によって同時に行ってもよいし、または、図５（Ｂ）に示すように、補填部材７と平ロープ１との縫合を、綴じ糸の代わりに針金１８を用いて行ってもよい。
あるいは、補填部材７に平ロープ１を接着することによって、補填部材７を平ロープ１に結合してもよい。
【符号の説明】
【００３９】
１  平ロープ
１ａ  先端部
１ｂ  一面
２  フック
２ａ  ロープ連結用開口
３  折り返し部
３ａ  末端
４  平ロープ本体
５  綴じ糸
６  段差
７  補填部材
８  基部
８ａ、８ｂ  面
９  延長部
９ａ、９ｂ  面
１０  段差
１１ａ、１１ｂ、１２ａ、１２ｂ  ガイド爪
１３  綴じ糸
１４  保護部材
１５  熱収縮チューブ
１６  ショックアブソーバ
１６ａ  ロープ連結用開口
１７  連結金具
１７ａ  ロープ連結用開口
１８  針金
【図１】
0003218765.tif 000003
【図２】
0003218765.tif 000004
【図３】
0003218765.tif 000005
【図４】
0003218765.tif 000006
【図５】
0003218765.tif 000007